(57)【要約】【課題】簡単且つ安価な構成で，素早く受信システムが構築する。【解決手段】受信システムにおいて，アンテナと，該アンテナからの信号を２分配する分配手段と，分配手段の分配数と同数の，所定の信号を選局・復調する選局・復調手段を備えたディジタルチューナーと，夫々のチューナーからの出力信号を，どちらか一方のチューナーからの出力信号を選択的に出力する信号経路選択手段と，中央処理装置とから成り，該中央処理装置は，前記チューナーの内の何れか一方の電源がオン状態にある時は他方のチューナーの電源をスタンバイ状態にし，何れか一方の電源をスタンバイ状態にある時は他方の電源をオン状態にする電源切換制御と，この電源切換制御と連動して前記信号経路選択手段を，電源がオン状態のチューナーからの出力信号を出力する前記選択手段器切換制御とを所定の時間毎に切換制御する。 【選択図】  図６
2006287546.tif 000002
【特許請求の範囲】
【請求項１】
ディジタル放送受信用のアンテナにて受信した信号を，アンテナから伝送線によって引き込み，更にはこの伝送線を，ディジタルチューナーを介して受信端末側に引き回して成る受信システムにおいて，
該受信システムは，アンテナと，
該アンテナからの信号を２分配する分配手段と，少なくとも前記分配手段から出力される信号の中から所定のチャンネルのディジタル信号を選局・復調する選局・復調手段を備えたディジタルチューナーであって，前記分配手段の分配数と同数だけ備え，所定の同じチャンネルのディジタル信号を選局・復調するように設定されたディジタルチューナーと，夫々のディジタルチューナーからの出力信号を受け入れると共に，どちらか一方のディジタルチューナーからの出力信号を選択的に出力するように構成した信号経路を有する信号経路選択手段とから成る受信手段と，
前記ディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御を行うと共に，該電源切換制御と連動して前記信号経路選択手段の信号経路を切換えて，電源がオン状態のディジタルチューナーからの出力信号を出力するように信号経路選択手段の切換制御を行う中央処理装置と，から成り，
前記切換制御は，前記中央処理装置によって，所定の時間毎に行うようにしたことを特徴とした受信システム。
【請求項２】
前記受信手段の出力には，前記どちらか一方のディジタルチューナーから復調されて出力される出力信号から，任意のチャンネルのアナログ信号を生成して出力するよう構成された変調器を設けたことを特徴とした請求項１に記載の受信システム。
【請求項３】
前記受信手段の出力には，前記何れかのディジタルチューナーから復調されて出力される信号から，任意のチャンネルのアナログ信号を選択的に生成して出力するよう構成された変調器と，該変調器から出力されるアナログ信号のチャンネルを設定するための選局手段を設け，該変調器からの出力は，前記中央処理装置を介して前記選局手段によって選択的に任意のチャンネルのアナログ信号に変換して出力できるように構成したことを特徴とした請求項２に記載の受信システム。
【請求項４】
前記受信手段を複数経路備え，各受信手段を構成するディジタルチューナーは，各伝送路毎に異なるディジタル信号を選局・復調するように設定され，前記中央処理装置は，各受信手段を構成するディジタルチューナーと信号経路選択手段に対して，夫々，伝送線路内のディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御すると共に，該電源切換制御と連動して前記信号経路選択手段の信号経路を切換えて，電源がオン状態のディジタルチューナーからの出力信号を出力するように前記信号経路選択手段の切換制御を，所定の時間毎に行うように構成したことを特徴とした請求項１乃至請求項３に記載の受信システム。
【請求項５】
前記中央処理装置が前記切換制御を所定の時間毎に行うためのタイマ回路の基準として，例えば電波時計等の標準時間発生手段から得られた信号を用いたことを特徴とする請求項１乃至請求項４に記載の受信システム。
【請求項６】
前記ディジタル放送の受信システムと，アナログ放送の受信システムと，を混合して受信端末側に引き回して成る請求項２乃至請求項５に記載の受信システム。
【請求項７】
ディジタル放送受信用のアンテナにて受信した信号を，アンテナから伝送線によって引き込み，更にはこの伝送線を，受信手段を介して受信端末側に引き回して成る受信システムの受信装置において，
該受信装置は，少なくとも前記受信手段と前記信号経路選択手段と前記中央処理装置とを，同一筐体内に収納したことを特徴とした受信装置。
【発明の詳細な説明】
【技術分野】
【０００１】
本発明は，主にディジタル放送に利用される受信システム，及び，受信装置に関し，詳しくはディジタル放送の受信システムに用いられるディジタルチューナーのソフトウェアの更新に関する。
【背景技術】
【０００２】
従来の受信システムは，地上波ばかり出なく衛星からの信号も受信することが求められる。更にいえば，衛星放送はＢＳ・１１０°ＣＳで，地上放送でも地上ディジタル放送でディジタル化が進み，受信システムもディジタル受信に対応させる必要が生じてきた。
このディジタル受信に対応するには，チューナーをディジタルに対応したものにする必要があるが，このディジタルチューナーの特徴として，ＢＳ・１１０°ＣＳ用であっても，地上ディジタル用のチューナーであっても，受信機内にソフトウェアを備えさせており，放送波を通じてディジタルチューナーのソフトウェアや，電子番組ガイドのロゴデータなど共通データの更新・追加を行う受信機内情報更サービスが行われることになっている。  通常，受信機のソフトウェアの更新サービスは，ディジタルチューナーがスタンバイ（待機）状態にあるときに行われるような構成と成っているため，従来例のような受信システムにディジタル放送のチューナーを設置した場合は，テレビを視聴しない時間帯にディジタルチューナーをスタンバイ状態にする必要があった。
また，ディジタル用のヘッドエンド装置を受信点に設け，例えばマンション等の建物内に分配システムにディジタル放送を引き込む場合でも同様なことが必要であった。
（例えば，特許文献１参照）
【０００３】
【特許文献１】特開平１０−２２４６９９号公報
【発明の開示】
【発明が解決しようとする課題】
【０００４】
ところで，地上ディジタル放送は，当面の間，アナログ地上放送とのサイマル放送となり，そのために送信側においては，従来からあるアナログ放送波を異なるチャンネルに移動させることが必要となり，これにともなって，受信側ではテレビやビデオの受信チャンネル用の変更を行ったり，アンテナの方向を変えたり増幅器の調整をしたりと言ったアナログーアナログ周波数変更対策が必要であった。また，地域においては，新しく追加されディジタル放送の電波によって，アナログ放送の電波に影響が出るところがあり，それのための対策であるデジタルーアナログ周波数変更対策などが必要となる場合がある。
このように新しく出たディジタル放送が，従来からあるアナログ放送に影響を与えるような場合は，２０１１年に完全にディジタル放送に移行することもあり，簡単且つ安価で，素早く対策できる方法を勘案して実施されるのがよい。
【０００５】
そこで，このような対策の実施例として，戸別に対応することよりも，例えば受信側にディジタル放送波を受信するディジタルチューナーを備えさせることによって，このチューナーから出力される出力信号を変調器で，今まで受信していたアナログ放送（ＶＨＦ帯及び妨害の出るＵＨＦ帯の信号を含む信号）とは異なる，妨害の出ない例えばＵＨＦ帯の信号に変換することにより，前記アナログ放送の信号と混合させた信号をマンション等の建築物内に引き込み，更に各端末側に引き込む対策方法が検討されている。
【０００６】
ところがディジタル放に用いられるディジタルチューナーは，上述のように地上放送受信用であってもＢＳ・１１０°ＣＳであっても，ＣＡＴＶ用のセットトップボックスであっても，受信機内にソフトウェアを備えさせており，放送波を通じてディジタルチューナーのソフトウェアや，電子番組ガイドのロゴデータなど共通データの更新・追加を行う受信機内情報更サービスが行われることになっている。通常受信機のソフトウェアの更新サービスは，ディジタルチューナーがスタンバイ（待機）状態にあるときに行われるような構成と成っているため，上述のような受信側に地上ディジタルチューナーを用いた設備を設けた場合，スタンバイ状態にするタイミングによっては，テレビが見られない加入者宅が発生する場合があると言った問題があった。そこで本願においては，こうした問題点を解決するためになされたものであり，
その目的は，簡単且つ安価な構成で，素早くシステムが構築できるディジタル放送用の受信システムを提供することにある。
他の目的は，ディジタル放送受信におけるディジタル−アナログ周波数変換対策に最適な受信システムを提供することにある。
他の目的は，簡単且つ安価な構成で，素早くリタンダンシーなシステムが構築できるディジタル放送用の受信システムを提供することにある。
他の目的は，ディジタル放送受信におけるディジタル−アナログ周波数変換対策に最適な受信システムであって，受信機のソフトウェアの更新においても停波しない受信システムを提供することにある。
他の目的は，既設のアナログ放送受信システムに，簡単且つ安価にディジタル放送受信システムを追加できる受信システムを提供することにある。
他の目的は，上記受信システムに適した受信装置を提供することにある。
他の目的は，市販されているディジタルチューナーを用いて，上記受信装置若しくは上記受信システムを提供することにある。
【課題を解決するための手段】
【０００７】
上記課題を解決するために，請求項１の発明は，ディジタル放送受信用のアンテナにて受信した信号を，アンテナから伝送線によって引き込み，更にはこの伝送線をディジタルチューナーを介して受信端末側に引き回して成る受信システムにおいて，
該受信システムは，アンテナと，
該アンテナからの信号を２分配する分配手段と，少なくとも前記分配手段から出力される信号の中から所定のチャンネルのディジタル信号を選局・復調する選局・復調手段を備えたディジタルチューナーであって，前記分配手段の分配数と同数だけ備え，所定の同じチャンネルのディジタル信号を選局・復調するように設定されたディジタルチューナーと，夫々のディジタルチューナーからの出力信号を受け入れると共に，どちらか一方のディジタルチューナーからの出力信号を選択的に出力するように構成した信号経路を有する信号経路選択手段とから成る受信手段と，
前記ディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御を行うと共に，該電源切換制御と連動して前記信号経路選択手段の信号経路を切換えて，電源がオン状態のディジタルチューナーからの出力信号を出力するように信号経路選択手段の切換制御を行う中央処理装置と，から成り，
前記切換制御は，前記中央処理装置によって，所定の時間毎に行うように構成した。
【０００８】
請求項２の発明は，請求項１に記載の受信システムにおいて，前記受信手段の出力には，前記どちらか一方のディジタルチューナーから復調されて出力される出力信号から，任意のチャンネルのアナログ信号を生成して出力するよう構成された変調器を設けた。
【０００９】
請求項３の発明は，請求項２に記載の受信システムにおいて，前記受信手段の出力には，前記何れかのディジタルチューナーから復調されて出力される信号から，任意のチャンネルのアナログ信号を選択的に生成して出力するよう構成された変調器と，該変調器から出力されるアナログ信号を設定するための選局手段を設け，該変調器からの出力は，前記中央処理装置を介して前記選局手段によって選択的に任意のチャンネルのアナログ信号に変換して出力できるように構成した。
【００１０】
請求項４の発明は，請求項１乃至請求項３に記載の受信システムにおいて，前記受信手段を複数経路備え，各受信手段を構成するディジタルチューナーは，各伝送路毎に異なるチャンネルのディジタル信号を選局・復調するように設定され，前記中央処理装置は，各受信手段を構成するディジタルチューナーと信号経路選択手段に対して，夫々，伝送線路内のディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御を行う共に，該電源切換制御と連動して前記信号経路選択手段の信号経路を切換えて，電源がオン状態のディジタルチューナーからの出力信号を出力するように前記信号経路選択手段の切換制御を，所定の時間毎に行うように構成した。
【００１１】
請求項５の発明は，請求項１乃至請求項４に記載の受信システムにおいて，前記中央処理装置が前記切換制御を所定の時間毎に行うためのタイマ回路の基準として，例えば電波時計等の標準時間発生手段から得られた信号を用いるように構成される。
【００１２】
請求項６の発明は，請求項２乃至請求項５に記載の受信システムにおいて，該ディジタル放送の受信システムと，アナログ放送の受信システムと，を混合して受信端末側に引き回して成る。
【００１３】
請求項７の発明は，ディジタル放送受信用のアンテナにて受信した信号を，アンテナから伝送線によって引き込み，更にはこの伝送線を，受信手段を介して受信端末側に引き回して成る受信システムの受信装置において，
該受信装置は，少なくとも前記受信手段と前記信号経路選択手段と前記中央処理装置とを，同一筐体内に収納した。
【発明の効果】
【００１４】
請求項１の発明によれば，ディジタル放送受信用のアンテナにて受信した信号を，アンテナから伝送線によって引き込み，更にはこの伝送線をディジタルチューナーを介して受信端末側に引き回して成る受信システムにおいて，
該受信システムは，アンテナと，
該アンテナからの信号を２分配する分配手段と，少なくとも前記分配手段から出力される信号の中から所定のチャンネルのディジタル信号を選局・復調する選局・復調手段を備えたディジタルチューナーであって，前記分配手段の分配数と同数だけ備え，所定の同じチャンネルのディジタル信号を選局・復調するように設定されたディジタルチューナーと，夫々のディジタルチューナーからの出力信号を受け入れると共に，どちらか一方のディジタルチューナーからの出力信号を選択的に出力するように構成した信号経路を有する信号経路選択手段とから成る受信手段と，
前記ディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御を行う共に，該電源切換制御と連動して前記信号経路選択手段の信号経路を切換えて，電源がオン状態のディジタルチューナーからの出力信号を出力するように前記信号経路選択手段を切換制御を行う中央処理装置と，から成り，前記切換制御は，前記中央処理装置によって，所定の時間毎に行うように構成したので，
何れか一方のディジタルチューナーをオン状態に維持しつつディジタルチューナーからの出力信号を出力し，合わせて他方のディジタルチューナーをスタンバイ状態にしておくことによって，ディジタルチューナーが内蔵するソフトウェアの更新サービスが行われる一般的な条件である，ディジタルチューナーのスタンバイ（待機）状態を交互に制御することによって，スタンバイ状態においたディジタルチューナーのソフトウェアを更新・追加を繰り返しながら，常に最新のソフトウェアを備えたチューナーでもって，端末側に映像や音声を途切れることなく視聴できるように出力することができるのである。従って，ディジタル信号を受信する地上ディジタル放送やＢＳ・１１０°ＣＳディジタル放送に最適な受信システムが提供できる。
更には，例えば前記ディジタルチューナーに，既に市販されているディジタルチューナーのセットを用い，中央処理装置において生成されるリモコン信号で前記ディジタルチューナーの電源制御を行うように構成すれば，特別新たにディジタルチューナーを設計することもないので，簡単且つ安価で，性能のよい受信システムが構築できるといった優れた特長を有するのである。
【００１５】
請求項２の発明によれば，請求項１に記載の受信システムにおいて，前記受信手段の出力には，前記どちらか一方のディジタルチューナーから復調されて出力される出力信号から，任意のテレビチャンネルであるアナログ信号を生成して出力するよう構成された変調器を設けたので，
例えば地上ディジタル放送を受信しようとするシステムを構築したときに，ディジタル放送波が，今まで受信していたアナログ放送のチャンネルに影響が出るような場合において，該ディジタル放送波を，今まで受信していたアナログ放送波（ＶＨＦ帯及び妨害の出るＵＨＦ帯の信号を含む信号）とは異なるチャンネルであって，妨害の出ない例えばＵＨＦ帯のアナログ信号に変換したものを，既設の前記アナログ放送の信号と混合し，この混合信号をマンション等の建築物内に引き込み，更に各戸の受信端末側に引き込むことによって，戸別に障害対策をする必要もなく，対策の必要な地域や建物等の受信点に設置するだけで，ディジタルチューナーのソフトウェアを更新・追加を繰り返しながら，常に最新のソフトウェアを備えたチューナーでもって，端末側に映像や音声を途切れることなく視聴できるように出力することができる，簡単且つ安価で，素早く対策できる受信システムを提供できるのである。
【００１６】
請求項３の発明によれば，請求項２に記載の受信システムにおいて，前記受信手段の出力には，前記何れかのディジタルチューナーから復調されて出力される信号から，任意のチャンネルのアナログ信号を選択的に生成して出力するよう構成された変調器と，該変調器から出力されるアナログ信号のチャンネルを設定するための選局手段を設け，該変調器からの出力は，前記中央処理装置を介して前記選局手段によって選択的に任意のチャンネルのアナログ信号に変換して出力できるように構成したので，
変調器３０の出力を任意のチャンネルのアナログ信号に設定でき，出荷時にプリセットしなくても現場でチャンネルを設定できるので，生産工程の効率化ができるばかりでなく，現場における状態に簡単に対応できるといった汎用性の優れた受信システムを提供できる。
【００１７】
請求項４の発明によれば，請求項１乃至請求項３に記載の受信システムにおいて，前記受信手段を複数経路備え，各受信手段を構成するディジタルチューナーは，各伝送路毎に異なるチャンネルのアナログ信号を選局・復調するように設定され，前記中央処理装置は，各受信手段を構成するディジタルチューナーと信号経路選択手段に対して，夫々，伝送線路内のディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御を行う共に，該電源切換制御と連動して前記信号経路選択手段の信号経路を切換えて，電源がオン状態のディジタルチューナーからの出力信号を出力するように前記信号経路選択手段の切換制御を，所定の時間毎に行うように構成したので，
既設のアナログ放送受信システムに妨害を与える，ディジタル放送のチャンネルが２つ以上有る場合に好適な受信システムが提供できる。
【００１８】
請求項５の発明によれば，請求項１乃至請求項４に記載の受信システムにおいて，前記中央処理装置が前記切換制御を所定の時間毎に行うためのタイマ回路の基準として，例えば電波時計等の標準時間発生手段から得られた信号を用いるように構成したので，
テレビの時報や画面の切り替えタイミングと正確に合わせて信号経路選択手段を切換えることができるので，画面の乱れなどの影響を低減できる受信システムを提供できる。
【００１９】
請求項６の発明によれば，請求項２乃至請求項５に記載の受信システムにおいて，該ディジタル放送の受信システムと，アナログ放送の受信システムと，を混合して受信端末側に引き回して成る用に構成したので，
既設のアナログ放送の受信システムに対して，妨害を与えることのないディジタル放送の受信システムを，簡単且つ安価に追加できる。
【００２０】
請求項７の発明は，ディジタル放送受信用のアンテナにて受信した信号を，アンテナから伝送線によって引き込み，更にはこの伝送線を，受信手段を介して受信端末側に引き回して成る受信システムの受信装置において，
該受信装置は，少なくとも前記受信手段と前記信号経路選択手段と前記中央処理装置とを，同一筐体内に収納したので，
例えば市販されている収納ボックス等の電子機器筐体に，例えば既に市販されているディジタルチューナーのセットを収納し，中央処理装置において生成されるリモコン信号で前記ディジタルチューナーの電源制御を行うように構成すれば，特別新たにディジタルチューナーを設計することもないので，簡単且つ安価で，性能のよい受信システム用であってであって，屋外や屋内などに対して，設置場所を選ばない汎用性の高い受信装置を提供できる。
【発明を実施するための最良の形態】
【００２１】
以下に，本発明を具体化した実施形態の例を，図面を基に詳細に説明する。
図１は本願に係る受信システムの第１の実施形態を示す概略ブロック図である。図２は本願の信号経路選択手段の具体例である。図３は本願の中央処理装置の切換制御を示すフローチャートである。図４は本願の中央処理装置の切換制御を示すタイミングチャートである。図５は本願に係る受信システムの第２の実施形態を示す概略ブロック図である。図６，図７，図８は第２の実施形態の異なる実施例である。
【実施例１】
【００２２】
図１を基に第１の実施形態について説明する。尚，以下の実施例ではディジタル放送の例として地上ディジタル放送受信用に構成された受信システムを用いて説明する。
この図において１はアンテナであり，本願に実施例においてはＵＨＦ帯用の地上ディジタルアンテナである。アンテナ１で受信された受信信号は例えば同軸ケーブルなどの伝送線を介して分配手段２に入力される。この分配手段２は例えばフェライトコアにポリウレタン線を巻回してなるトランスを用いた分配回路からなる２分配器である。この２分配器において分配された前記受信信号は５及び６に示される地上ディジタル放送用のディジタルチューナーに入力される。
このディジタルチューナー５，６は，少なくとも前記受信信号を受け入れ，該受信信号の中から希望チャンネル信号を選局し，該選局した希望チャンネル信号を復調することによって，例えば映像端子から映像信号，音声端子から音声信号の出力信号が出力される。本願の実施例では前記ディジタルチューナー５及び６はディジタル放送の同一チャンネル（例えば地上ディジタル放送のｃh２０）を受信するように設定されている。
更にこれらのディジタルチューナーは，後に詳述する中央処理装置２０によって，前記ディジタルチューナーの内の何れか一方の電源がオン状態にある時は他方のディジタルチューナーの電源をスタンバイ状態にし，何れか一方の電源がスタンバイ状態にある時は他方の電源をオン状態にするように電源切換制御されるように構成されている。
図２（ａ）にディジタルチューナー５の概略ブロック図を示す。入力されたＲＦ信号は選局手段５ａにおいて選択された後に復調手段５ｂから例えば映像信号Ｖ及び音声信号Ａ（Ｒ），（Ｌ）が出力される。５ｅは選択チャンネル等の表示を行う表示手段である。５ｄは電源部であり前記選局手段５ａ，復調手段５ｂ，表示手段５ｅ等に電源供給している。５ｃは信号制御手段であって，前記中央処理装置２０からのコントロール信号に基づいて，前記選局・復調手段，表示手段等を動作させるオン状態と，例えば前記選局・復調手段等の受信に必要な手段だけを動作状態にし，前記表示手段５ｅ等の受信に必要ない手段はオフ状態とするスタンバイ状態に制御するように構成されている。
また，例えばディジタルチューナーを一般的に市販されているセットを使用して構成しようとする場合は，このディジタルチューナーのリモコン受光部に，前記中央処理装置２０において生成したリモコン信号を送ることによって，ディジタルチューナーの電源をオン・スタンバイ状態に切換えるようにすれば，簡単且つ安価に電源切換制御を行うことができる。
【００２３】
８は前記ディジタルチューナーから出力される前記出力信号を受け入れると共に，どちらか一方のディジタルチューナーからの出力信号を選択的に出力するように構成した信号経路を有する信号経路選択手段であり，例えば入力として映像端子と音声端子（Ｒ，Ｌ）から成る入力端子を２組備え，出力には映像端子と音声端子（Ｒ，Ｌ）から成る出力端子を１組備えた２系統の信号経路を選択的に切換えるように構成されたＡＶ切換器である。  本願の実施例においてはディジタルチューナー５からの出力信号を通過させる信号経路を信号経路１，ディジタルチューナー６からの出力信号を通過させる信号経路を信号経路２とし，この信号経路１若しくは２の切換制御は，前記ディジタルチューナー５及び６の電源切換制御と連動して前記中央処理装置２０によって行われ，前記信号線路選択手段８の信号経路が常に電源がオン状態のディジタルチューナーからの出力信号を出力するように，前記中央処理装置２０によって信号経路選択手段８を制御する用に構成されている。
図２（ｂ）に前記信号切換手段８の具体的な回路例を示す。この実施例では中央処理装置２０から信号入力部８ａを介して送られたＨ／Ｌ信号のコントロール信号でドライブ回路を駆動させ，高周波リレーＲＶ，ＲＡ（Ｒ），ＲＡ（Ｌ）を用いて信号経路を切換えるように構成されている
尚，前記分配手段２と２つの前記ディジタルチューナー５，６と前記信号経路選択手段８とで請求孔に記載の受信手段１０を構成している。
【００２４】
次に前記信号経路選択手段８から出力された，どちらか一方のディジタルチューナー５若しくは６の出力信号は，例えばＡＶケーブルを介してテレビ受像機のビデオ入力に入力され番組を見ることができるのである。
【００２５】
ここで前記中央処理装置２０の切換制御について図３のフローチャートと及び図４のタイミングチャートを用いて説明する。
先ずＳ１０において現在の日時を取得する。次にＳ１１において，その取得日時と以前の取得日時とを比較することによって，所定の日時（時間）が経過したかどうかの判定を行う。この判定に基づいて，所定の日時が経過していないならＳ１０に戻り，あらためて日時を取得する。所定の時間経過したことが認められるならば，Ｓ１２においてディジタルチューナー５の電源がオンであるかスタンバイ状態にあるかを判定して，オンであるならばＳ１３に進み，スタンバイ状態ならＳ２３に進む。
ディジタルチューナー５の電源がオンであればＳ１３において，ディジタルチューナー６の電源をオンにする。（図４におけるＴ０）
そしてＳ１４においてディジタルチューナー６が安定して動作するまでの所定時間（図４におけるＴ０〜Ｔ１の間）をカウントし，所定時間が経過したのならば，Ｓ１５において前記信号経路選択手段８を，前記ディジタルチューナー６からの出力信号が通過する前記信号経路２となるように切換える。（図４におけるＴ１）
切換制御が終了したのならばＳ１６においてディジタルチューナー５の電源をスタンバイ状態にしてからＳ１０に戻る。（図４におけるＴ２）
【００２６】
次に，Ｓ１０，Ｓ１１において，ディジタルチューナー５をスタンバイ状態にしてから一定時間（図４におけるＴ２〜Ｔ３の間）経過したと判断されるような所定の日時が経過したと判断されたのならば，Ｓ１２においてディジタルチューナー５の電源状態がオンかスタンバイ状態かを判断する。この時点では上述のようにディジタルチューナー５はスタンバイ状態にあるので，Ｓ２３においてディジタルチューナー５の電源をオンにする。（図４におけるＴ３）
そしてＳ２４においてディジタルチューナー５が安定して動作するまでの所定時間（図４におけるＴ３〜Ｔ４の間）をカウントし，所定時間が経過したのならば，Ｓ２５において前記信号経路選択手段８を，前記ディジタルチューナー５からの出力信号が通過する前記信号経路１となるように切換える。（図４におけるＴ４）
切換制御が終了したのならばＳ２６においてディジタルチューナー６の電源をスタンバイ状態にしてからＳ１０に戻る。
このような流れにおいて，前記ディジタルチューナーは，スタンバイ状態の時間（例えば図４におけるＴ２〜Ｔ３）が，少なくともディジタルチューナーがソフトウェアのダウンロードに要する時間であるように設定され，オン状態はスタンバイ状態より長い時間継続とすることによって，両方のディジタルチューナーが同時に動作する時間帯を持たせ，その時間帯でもってディジタルチューナーの安定動作をさせると共に，信号経路選択手段８の切換操作を行うようにしているのである。
【００２７】
このように本願の第１の実施形態による受信システムでは，受信手段１０に備えさせた前記ディジタルチューナー５，６の内の，何れか一方の電源がオン状態にある時は他方のディジタルチューナーの電源をスタンバイ状態にし，何れか一方の電源がスタンバイ状態にある時は他方の電源をオン状態にするように電源切換制御すると共に，該電源切換制御と連動して前記が信号経路選択手段８の信号経路を切換えて，電源がオン状態のディジタルチューナーからの出力信号を出力するように信号経路を選択的に切換えるよう信号経路選択手段８を制御する中央処理装置２０を備え，前記切換制御は，前記中央処理装置２０によって，所定の時間毎に行うようにされているのである。
【００２８】
つまりは，ディジタル放送受信に用いられるディジタルチューナーは，受信機内にソフトウェア等を備えさせ，これらの更新・追加を行うための受信機内情報更新サービスが，放送波を通じて行われるように構成されており，このソフトウェアの更新サービスは通常，ディジタルチューナーがスタンバイ（待機）状態にあるときに行われるような構成と成っているため，本願に示すようなディジタル放送の受信システムのように，受信手段に２つのディジタルチューナー５，６と，該チューナーの出力信号を切換えて出力する信号経路選択手段８を備えさせ，何れか一方のディジタルチューナーをオン状態に維持しつつディジタルチューナーからの出力信号を出力し，他方のディジタルチューナーをスタンバイ状態にしておくことによって，スタンバイ状態のディジタルチューナーのソフトウェアを更新・追加を行い，これを交互に繰り返しすことによって，常に最新のソフトウェアを備えたチューナーとなるよう対応できるようになるばかりでなく，ディジタルチューナーの切換時においても端末側に映像や音声を途切れることなく出力することができるのである。
また，前記ディジタルチューナーも特別新たに設計することなく，一般的に市販されている物を利用してシステム構築ができ，設計に対する費用が削減されることによって，延いては受信システムが安価に且つ簡単に構築できるのである。
【実施例２】
【００２９】
次に本発明の第２の実施形態として図５を参照して説明する。尚，以下の説明では，上記第１の実施形態の受信システムと同様の構成要素については同一符号を付与し，詳細な説明は省略する。                            
【００３０】
この実施例では上記第１の実施形態に加えて備えて，信号経路選択手段８の後に，該信号経路通過手段８を通過した前記ディジタルチューナーの出力信号を，任意のチャンネルのアナログ放送のＲＦ信号として変換する変調器３０を備えた物である。
このように構成された受信システムは，例えば既設のアナログ放送波の受信において，新しく始まった地上ディジタル放送の受信システムを追加しようとする場合に，新しく追加されディジタル放送波によって，従来からあるアナログ放送の受信に影響が出るような地域やマンション等におけるディジタルーアナログ周波数変更対策に好適な，簡単且つ安価で，素早く対策できる受信システムを提供できるのである。
【００３１】
つまりは，例えば受信点側にディジタル放送波を受信するディジタルチューナー５，６を備えさせることによって，このチューナーの何れかから出力される出力信号を変調器３０で，今まで受信していたアナログ放送（ＶＨＦ帯及び妨害の出るＵＨＦ帯の信号を含む信号）とは異なるチャンネルであって，妨害の出ない例えばＵＨＦ帯のアナログ信号のチャンネルに変調することにより，この信号と前記アナログ放送の信号とを混合した信号をマンション等の建築物内に引き込み，更に同軸ケーブルで各端末側に引き込むのである。  この方法によれば，障害が発生する地域やマンション等に対して，各戸別に障害対策をする必要もなく，障害対策の必要な地域や建物等の受信点側の，従来からある受信システムに追加・設置するだけで，ディジタルチューナーのソフトウェアを更新・追加を繰り返しながら，常に最新のソフトウェアを備えたチューナーでもって，端末側に映像や音声を途切れることなく出力することができる簡単且つ安価で，素早く対策できる受信システムを提供できるのである。
【００３２】
本願の第２の実施形態では，妨害となる電波として，例えば地上ディジタル放送波のｃｈ２０の例を示し，アンテナ１で受信したディジタル信号の中からｃｈ２０の信号を，ディジタルチューナー５若しくは６の何れか一方で受信し，該チューナーから信号経路選択手段８を介して出力される出力信号（映像・音声信号）を，例えばＵＨＦ帯のアナログ信号であるｃｈ３０のＲＦ信号に変調して出力するように構成した例を示している。
このｃｈ３０の信号は，同軸ケーブルを介して５１に示す混合器に入力され，この混合器５１において，従来から設置されているアンテナ５０からの信号（例えば，ＶＨＦ帯及び妨害の出たＵＨＦ帯の信号を含む信号）と混合された後に，分配器５１等を介し端末側に引き込まれるのである。
尚，図６に示す第２の実施形態の異なる実施例に示すように，例えばｃＨ１３〜６２の間の任意のチャンネルのアナログ信号を選択的に生成して出力するよう構成された変調器３０と，該変調器３０から出力されるアナログ信号のチャンネルを設定するための選局手段３５を設け，該変調器３０からの出力は，前記中央処理装置２０を介して前記選局手段３５によって選択的に任意のＵＨＦ帯のアナログ信号に変換して出力できるように構成してもよい。
更には，前記変調器３０はＶＨＦ帯のチャンネルを出力できるようにしてもよく，この場合は，従来からある受信システムの混合器５１の替わりにＶＨＦ・ＵＨＦミキサーを用いることができ，混合に伴う伝送損失の小さい受信システムが簡単に提供できる。
【００３３】
次に図７に示す第２の実施形態の異なる実施例について説明する。この実施例は前記受信手段１０を複数経路備えた物である。アンテナ１で受信した受信信号は分配手段２を介して各受信手段１０，１０に入力される。この受信手段１０は上記第１，第２の実施形態の実施例と同様の構成をしており，詳細な説明は省略する。
この実施例では，複数の地上ディジタル放送波が妨害波となって，従来から受信しているアナログ放送波に対して妨害を与える場合に用いられる。
即ち妨害となる電波と同数の前記受信手段１０を備え，夫々の受信手段１０において所定のディジタル信号を受信し，各受信手段１０から出力された出力信号を夫々変調器３０で夫々異なるチャンネルのアナログＲＦ信号に変調し，その信号を例えば混合器４９によって混合して出力するように構成されている。
図に示す実施例においては，妨害となる地上ディジタル放送のチャンネルが２チャンネル有るとして，ｃｈ２０及びｃＨ２１の例が示されており，これらの信号が夫々の変調器３０によって，夫々アナログ放送波のｃｈ３０とｃｈ３２の信号に変換される例を示している。
尚，上述のように第１及び第２の実施例で，はディジタルチューナーのソフトウェアの更新の基準となる日時の取得を，中央処理装置２０に備えたタイマ回路を利用して構成したものであるが，例えば，図８に示すように電波時計用のアンテナ４４から受信した信号によって動作する例えば電波時計４５のような標準時間発生手段から得られる，標準時間のデータを中央処理装置２０に取り込んで，これをタイマ回路の基準として用いれば，ディジタルチューナー５，６の電源切換制御と，信号経路選択手段８の制御を，例えばディジタル放送の放送時間と正確に同期させて行うことができるのである。
以上本願の実施例を説明したが，上述の第１の実施例若しくは第２の実施例において，少なくとも，前記受信手段１０と前記信号経路選択手段８と中央処理装置２０など（第２の実施例では変調器３０や混合器４９などを加えて）を，防水性のよい同一筐体（一般的に市販されているものでもよい）内に収納させ，屋外にも設置できる受信装置とすれば，設置場所を選ばず汎用性に優れた簡単且つ安価に構築できる受信システムを提供できるのである。
また，上述の第２の実施例では，従来からあるアンテナと新しくディジタル放送用のアンテナを追加，設置した例を示したが，アナログ放送波とディジタル放送波が同じ方向から到来する場合は，同じアンテナを用いてもよいなど，本発明は上記実施形態に限定されるものではなく，ここに示された実施例を相互に組み合わせて構成してもよく，本発明の趣旨を逸しない範囲で各部の構成を適宜に変更して実施することも可能である。
【図面の簡単な説明】
【００３４】
【図１】本願に係る受信システムの第１の実施形態を示す概略ブロック図である。
【図２】本願の信号経路選択手段の具体例である。
【図３】本願の中央処理装置の切換制御を示すフローチャートである。
【図４】本願の中央処理装置の切換制御を示すタイミングチャートである。
【図５】本願に係る受信システムの第２の実施形態を示す概略ブロック図である。
【図６】第２の実施形態の異なる実施例である。
【図７】第２の実施形態の異なる実施例である。
【図８】第２の実施形態の異なる実施例である。
【符号の説明】
【００３５】
１…アンテナ，２…分配手段，５…ディジタルチューナー，６…ディジタルチューナー，８…信号経路選択手段，１０…受信手段，２０…中央処理装置，３０…変調器，３５…選局手段，４４…電波時計用アンテナ，４５…電波時計，４９…ミキサー，５０…テレビアンテナ，５１…混合器，５２…分配器，５５…テレビ端子，５６…テレビ端子，
【図１】
2006287546.tif 000003
【図２】
2006287546.tif 000004
【図３】
2006287546.tif 000005
【図４】
2006287546.tif 000006
【図５】
2006287546.tif 000007
【図６】
2006287546.tif 000008
【図７】
2006287546.tif 000009
【図８】
2006287546.tif 000010